(57)【要約】      （修正有）【課題】下地（金網・ネット等）を使わず、さらに自然の生態系に早期復元するための環境にやさしく、低コストの法面緑化工法を提供する。【解決手段】吹付ける基盤材の中に、添加することで水和物の針状結晶が生成され、基盤材が団粒化し下地（金網・ネット等）が不要になる土壌安定剤（ＢＭアルファ）と、微生物の捕食パターンに特徴（タンパク質８割・硫黄２割を捕食する）がある菌群が混入されている基盤材（バイオミリアード有機）とを吹付けることで、自然のサイクル（食物連鎖）が基盤材中で形成されるため肥料分の減少がなく、また土壌微生物の働きで地山に対して植物の根がアースアンカーの働きをしながら土壌化をはかり、基盤の厚みが増し保水・保肥力も増し、これらのことにより、早期な自然復元がなされ、尚且つ下地を使わないことによる低コストの法面緑化工法を提供することができる。【選択図】        なし【特許請求の範囲】
【請求項１】
酵素学と応用微生物学を融合させて、植生環境を整えながら、事後自然界同様に植物に対する肥料供給を可能にしたＢＭ菌工法と、降雨等に強い基盤を作り、金網・ネットなどの下地が無くても基盤を安定させる土壌安定剤（ＢＭアルファ）の組み合わせからなる恒久型コスト縮減緑化工法。
【発明の詳細な説明】
【０００１】
【発明が属する技術分野】
本発明は、下地がいらないことによる、環境、コスト縮減、工程の縮小を目的とした法面緑化工法に関するものである。
【０００２】
【従来の技術】
従来、法面・斜面を緑化する場合、金網等を敷設し、緑化基盤となる種子・肥料・侵食防止剤等を加えた植生基盤材を吹付ける工法が広く行われております。金網等は、法面の崩落と吹付けた緑化基盤の降雨等による流亡を防ぐ為に用います。
【０００３】
【発明が解決しようとする課題】
金網等を施工するにあたり、施工時間・施工労力を必要とします。そして、法面が強酸性土壌であるならば、金網の老朽化が急速に進むことが予想されます。
【０００４】
従来工法の中では厚層基材吹付工はもとより、客土吹付工と呼ばれる工法においても、そのほとんどの事例でバーク材のみが用いられている。バーク材を主体とする工法では、バーク材の有機質肥料と、化学肥料に頼っているために、吹付けられた緑化基盤の中の肥料が降雨等により流亡し、植物の生育に肥料が使われ、経年変化の中で、養分供給が低下してきた場合、植物の枯死を起こす恐れが生じる。
【０００５】
施工するにあたり、バーク材を包んでいたポリエチレン袋が空袋としてでてきます。これは産業廃棄物と扱われ、処理をするのにコストが掛かります。
【０００６】
上記の問題点を解決し環境にやさしく、低コストの法面緑化工法を提供する。
【０００７】
【課題を解決するための手段】
施工するにあたり、事前に法面・斜面の土壌、勾配等を調査し、その調査結果に基づき最適である吹付厚を選別する。土質条件（転石の有無・亀裂の有無・勾配６分以下等）により、下地（金網、ネット等）を必要とする場合がある。
【０００８】
下地を使用しない場合、土壌安定剤として「ＢＭアルファ」を使用する。「ＢＭアルファ」は特開平１０−３６８３６号公報に開示された緑化吹付け用土壌安定剤「アルファグリーン」の開発者が、アルファグリーンの問題点（１．急速な安定化を図る為内容物に早強セメントを１４％含んでいる。２．団粒化促進の為、アルミニウムイオンに依存している。３．エトリンガイトの生成反応が長期間継続するので、全般的に基盤が硬化しやすい。）を改良した安定剤である。
【０００９】
ＢＭアルファでは早強セメントとアルミニウム剤を排除しました。代わりに、従来用いられた硫酸カルシム（β石膏）の質及び物性の改善と同時に、その使用量を増やし、同時に反応性の高い水溶性シリカ（マイクロシリカ）を添加しました。ｐＨの問題はこれによって改善されましたが、チクソトロピーが低下させられることのないよう、その低下分を補う為に天然系キタンサンガムを採用しました。これにより従来以上のチクソトロピーが実現でき、使用量も大幅に削減する事が可能になりました。
【００１０】
従来のバーク材を主体とした工法では、上記に述べた肥料分の供給低下が課題としてあげられます。この課題を解消すべく、土壌微生物（バイオミリアード菌群）入りバーク堆肥（バイオミリアード有機）と黒土を主とした植生基盤材を吹付ける工法を提案します。
【００１１】
バイオミリアード菌群（ＢＭ菌群）とは、広範な土壌微生物と呼ばれる菌群のうち、有用な十数種類をその捕食パターンや活性温度領域別に組み合わせて構成された生菌剤です。バーク堆肥を製造する過程からＢＭ菌群の力を借り、自然界の腐葉土に限りなく近づいた理想的なバーク製造が可能になりました。「バイオミリアード有機」と呼ぶバーク材がそれで、この中には活性されたＢＭ菌群がコロニーを形成しております。「活性されたＢＭ菌群」と位置付けるのは、バーク製造過程そのものを主導してきた菌群であり、発酵を行いながら発酵熱の高い温度領域を生き抜いて来た菌群ゆえの呼称であります。バーク製造工程では発酵熱は８０〜９０度の温度領域を長時間通過します。勿論その領域に持ち込むまでにもＢＭ菌群の中の様々な低温活性菌群が働き、状況を好転させますが、発酵過程通過に伴う高熱領域を通過した高熱放線菌群や高熱乳酸菌群は非常に強い活性を獲得します。本物を作る為にはこの高熱菌群が必須な存在でもあります。またＢＭ菌の特徴を表現するには、もう一つその捕食パターンがあります。現在様々な菌群が生菌剤として販売されておりますが、ＢＭ菌群との大きな相違点はその捕食パターンにあります。他の殆どの生菌剤に用いられている菌は、ブドウ糖８割、・タンパク質２割を捕食しておりますが、ＢＭ菌群はタンパク質８割・硫黄２割を捕食するパターンで構成されております。特に未完熟バーク等、有機物の分解腐敗の過程から発生する有毒ガスである硫化水素は、植生に大きなダメージを与える要因ですが、ＢＭ菌はこれを増殖の為のエネルギーに変換します。更にメタンや脂肪酸の分解にも強力な効果を発揮します。その意味で従来のどの菌群よりも基盤や地山の改良効果に大きな効果を発揮します。酸性土壌の改良  効果、岩盤への侵入等に圧倒的な効果を発揮すると同時に、沖縄地方では同地方を代表するＥＭ・アガリエの２種類の生菌剤を押しのけて、農業用に用いられ大きな成果を挙げております。また更なる相違点は、一旦増殖を開始した後の爆発的な増殖力にあります。このように非常に高い活性を示す菌群は他の追随を許しませんが、この高い活性は同時に添加されている植物３９種類より抽出した酵素の初期賦活作用によるものであり、組み合わされている菌種そのものは土壌微生物群として、自然界一般に偏在する菌群である事を明記します。
【００１２】
バーク材を搬入するにあたり、従来使用していた４０Ｌの袋の代わりに、１０００Ｌの再利用可能なフレコンパックを使用し、コストのかかる産業廃棄物処理を低減する。
【００１３】
上記に述べた、土壌安定剤（ＢＭアルファ）と土壌微生物入りバーク堆肥（バイオミリアード有機）と黒土を使用して、種子・肥料・保水剤・侵食防止剤を混合し、法面・斜面に吹付けることを特徴とする。
【００１４】
【発明の実施の形態】
法面・斜面に施工を行うにあたり、土質・勾配・硬度・ＰＨ・法面の状況により、本発明の吹付厚等の選定を行います。吹付ける基盤材１ｍ３あたり■植生基盤材■混合土（７００Ｌ）、バイオミリアード有機（６００Ｌ）■活性剤■ＢＭ菌活性剤（２．８５ｋｇ）■肥料■高燐酸型緩効性肥料（１７．１ｋｇ）、高度化成オール１５（８．５５ｋｇ）■土壌安定剤■ＢＭアルファ（４２．７５ｋｇ）■侵食防止剤■グリーンパウダー（１．４２５ｋｇ）■保水材■カーボンファイバー（２８５Ｌ）を種子、水と攪拌混合し地山へ直に吹き付けます。
【００１５】
【発明の効果】
本発明を法面・斜面に吹付けることで、微生物（ＢＭ菌群）の働きにより、表土層を早期に形成し生態系回復の起点を作る。黒土の中には微生物の生活空間が形成され、食物連鎖が活発に行われ、それが半永久的に繰り返されていき、肥料切れによる植物の衰退がない。土壌安定剤（ＢＭアルファ）の特長により、水和物の針状結晶が生成され、そのことにより基盤材が団粒化し、下地（金網・ネット等）が不要となる。また針状結晶が水和物であることから基盤の保水性が高まる。下地張工にかかる工程、労務をなくしコスト縮減が出来ます。